【事件の表示】
　特願２０１４−　６７６０７号「熱媒排出装置および熱媒排出方法」拒絶査定不服審判事件〔平成２７年１１月２日出願公開，特開２０１５−１９０６７２号，請求項の数（４）〕について，次のとおり審決する。
【結　論】
　原査定を取り消す。
　本願の発明は，特許すべきものとする。
【理　由】
第１　経緯の概略
　本願は，平成２６年３月２８日の出願であって，平成２９年８月２３日付けで拒絶の理由が通知され，平成２９年１２月２２日に意見書及び手続補正書が提出されたが，平成３０年２月２１日付けで拒絶査定がなされた。
　これに対し，平成３０年５月２８日に拒絶査定不服審判が請求されると同時に手続補正書が提出され，平成３０年１１月２６日付けで拒絶の理由が通知され，平成３１年１月２４日に意見書及び手続補正書が提出されたものである。
第２　本願発明
　本願の請求項１〜４に係る発明（以下，請求項の番号に従って「本願発明１」などという。）は，平成３１年１月２４日の手続補正書により補正された特許請求の範囲の請求項１〜４に記載された事項により特定される発明であり，本願発明は以下のとおりの発明である。
　「【請求項１】
　熱媒流路を有する太陽熱収集装置の前記熱媒流路から熱媒を排出する熱媒排出装置であって，
　前記熱媒流路の最高位置に設けられ，前記熱媒の排出時に前記熱媒流路に空気を導入するベント部と，
　前記熱媒流路に設けられ，前記熱媒の排出時に前記熱媒流路に圧縮空気を供給する圧縮空気供給手段と，
　前記熱媒流路に接続された配管と，
　前記配管に接続され，前記圧縮空気供給手段によって供給された圧縮空気により前記熱媒流路から送り出されて，前記配管を流れる前記熱媒を貯留するタンクとを備え，
　前記タンクは，前記太陽熱収集装置によって加熱される前の熱媒を貯留するコールド側タンクと，前記太陽熱収集装置によって加熱された後の熱媒を貯留するホット側タンクとを有し，
　前記熱媒の排出時に，前記ベント部を開放して前記熱媒流路に空気を導入するとともに，前記圧縮空気供給手段によって圧縮空気を前記熱媒流路に供給し，
　この圧縮空気により前記熱媒が前記熱媒流路から送り出されて，前記配管を流れて，前記コールド側タンクに流れ込むことを特徴とする熱媒排出装置。
　　【請求項２】
　熱媒流路を有する太陽熱収集装置の前記熱媒流路から熱媒を排出する熱媒排出装置であって，
　前記熱媒流路の最高位置に設けられ，前記熱媒の排出時に前記熱媒流路に空気を導入するベント部と，
　前記熱媒流路に設けられ，前記熱媒の排出時に前記熱媒流路に圧縮空気を供給する圧縮空気供給手段と，
　前記熱媒流路に接続されるとともに水平面に対して傾斜する傾斜配管と，
　前記傾斜配管の前記熱媒流路が接続された部分より低い位置に接続されて，前記熱媒流路から前記傾斜配管を経て流れた熱媒を受け入れるドレイン容器と，
　前記ドレイン容器から前記熱媒を，前記熱媒を貯留するタンクに送り出すポンプとを備え，
　前記タンクは，前記太陽熱収集装置によって加熱される前の熱媒を貯留するコールド側タンクと，前記太陽熱収集装置によって加熱された後の熱媒を貯留するホット側タンクとを有し，
　前記熱媒の排出時に，前記ベント部を開放して前記熱媒流路に空気を導入するとともに，前記圧縮空気供給手段によって圧縮空気を前記熱媒流路に供給し，
　前記熱媒流路から前記配管に熱媒が重力と前記圧縮空気の圧力によって流れ込み，さらにこの熱媒が重力と前記圧力によって前記傾斜配管を流れて，前記ドレイン容器に受け入れられ，このドレイン容器に受け入れられた熱媒が前記ポンプによって前記コールド側タンクに送り出されることを特徴とする熱媒排出装置。
　　【請求項３】
　熱媒流路を有する太陽熱収集装置の前記熱媒流路から熱媒を排出する熱媒排出方法であって，
　前記熱媒流路の最高位置において，前記熱媒の排出時に前記熱媒流路に空気を導入するとともに，前記熱媒流路に圧縮空気を供給することによって，この圧縮空気により前記熱媒流路から送り出されて，この熱媒流路に接続されている配管を流れる熱媒をこの配管に接続されているタンクに貯留するに際し，
　前記タンクは，前記太陽熱収集装置によって加熱される前の熱媒を貯留するコールド側タンクと，前記太陽熱収集装置によって加熱された後の熱媒を貯留するホット側タンクとを有するものであって，
　前記熱媒の排出時に，前記熱媒流路の最高位置に設けられたベント部を開放して前記熱媒流路に空気を導入するとともに，圧縮空気供給手段によって圧縮空気を前記熱媒流路に供給し，
　この圧縮空気により前記熱媒が前記熱媒流路から送り出されて，前記配管を流れて，前記コールド側タンクに流れ込むことを特徴とする熱媒排出方法。
　　【請求項４】
　熱媒流路を有する太陽熱収集装置の前記熱媒流路から熱媒を排出する熱媒排出方法であって，
　前記熱媒流路の最高位置において，前記熱媒の排出時に前記熱媒流路に空気を導入するとともに前記熱媒流路に圧縮空気を供給することによって，前記熱媒流路に接続されるとともに水平面に対して傾斜する傾斜配管に熱媒を流し，
　この傾斜配管を流れた前記熱媒を前記熱媒流路が接続された部分より低い位置に接続されたドレイン容器に受け入れ，
　前記熱媒を貯留するタンクは，前記太陽熱収集装置によって加熱される前の熱媒を貯留するコールド側タンクと，前記太陽熱収集装置によって加熱された後の熱媒を貯留するホット側タンクとを有するものであって，
　前記ドレイン容器からポンプによって前記熱媒を前記コールド側タンクに送り出すことを特徴とする熱媒排出方法。」
第３　原査定の概要
　原査定（平成３０年２月２１日付け拒絶査定）の概要は次のとおりである。すなわち，本願発明２，４は，以下の引用文献１，２に記載された発明に基いて，その発明の属する技術の分野における通常の知識を有する者（以下「当業者」という。）が容易に発明をすることができたものであるから，特許法２９条２項の規定により特許を受けることができない。
　（引用文献）
　１　国際公開第２０１３／０３４５８７号
　２　特開２００８−０１４６２７号公報（周知技術を示す文献）
　なお，請求項１，３に係る発明については拒絶の理由を発見しない旨，付記されている。
第４　当審にて通知した拒絶の理由の概要
　当審にて通知した拒絶の理由の概要は次のとおりである。すなわち，本願は，特許請求の範囲の記載が以下の点で不備であり，特許法３６条６項２号に規定する要件を満たしていない。
　請求項３には，「前記タンクを，前記太陽熱収集装置によって加熱される前の熱媒を貯留するコールド側タンクと，前記太陽熱収集装置によって加熱された後の熱媒を貯留するホット側タンクとを有するものとし，」と記載され，また，請求項４には，「前記熱媒を貯留するタンクを，前記太陽熱収集装置によって加熱される前の熱媒を貯留するコールド側タンクと，前記太陽熱収集装置によって加熱された後の熱媒を貯留するホット側タンクとを有するものとし，」と記載されているが，請求項３，４に係る「熱媒排出方法」と，当該タンクに係る事項との関係が明確でない。よって，請求項３，４に係る発明は明確でない。
第５　原査定についての判断
　１　引用文献，引用発明等
　　（１）　引用文献１
　　　ア　引用文献１には，以下の事項が記載されている。なお，a-umlaut,o-umlaut,u-umlaut,eszetは，それぞれae,oe,ue,ssで代用表記した。訳は，引用文献１に対応する日本語特許公報（特表２０１４−５３１５５２号公報）による（下線は，当審にて付与した。）。
　・「Die Erfindung betrifft ein Rohrleitungssystem zur Foerderung einer Salzschmelze, umfassend mindestens eine von der Salzschmelze durchstroemte Rohrleitung, mindestens einen Zulauf und mindestens einen Ablauf. Weiterhin betrifft die Erfindung ein Verfahren zur Entleerung eines Rohrleitungssystems zur Foerderung einer Salzschmelze. 」（１頁３〜６行）
　（本発明は，溶融塩が通流する少なくとも１本のパイプラインと，少なくとも１つの供給部と，少なくとも１つの排出部と，を備える，溶融塩を圧送するパイプラインシステムに関する。更に本発明は，
溶融塩を圧送するパイプラインシステムをドレンする方法
　・「Figur 1 zeigt ein Solarfeld eines Parabolrinnen-Solarkraftwerks mit einem Entleerungs- behaelter gemaess dem Stand der Technik.…Ueber den Sammler 9 und den Verteiler 15 laeuft die Salzschmelze in den Entleerungsbehaelter 17.」（１０頁９行〜１１頁４行）
　（図１には，背景技術によるドレン容器を備えるパラボラ・トラフ型の太陽熱発電プラントのソーラフィールドが示されている。
　
パラボラ・トラフ型の太陽熱発電プラントのソーラフィールド１は，複数のソーラループ３を有する。ソーラループ３は，熱媒体が通流するそれぞれ１本のパイプライン（管路）から形成されている。
　ソーラループ３内で，熱媒体は，入射する太陽エネルギにより加熱される。このために，パイプライン５は，区分ごとに個別にガラスパイプ７により包囲されている。パイプライン５とガラスパイプ７との間の空間は排気される。ガラスパイプ７の下側に更に放物面鏡が設けられている。放物面鏡において，入射する太陽光が反射されて，ガラスパイプ７に向けられる。ガラスパイプ７に入射する放射線により，熱が，パイプライン５を通流する熱媒体に導かれ，これにより熱媒体が加熱される。
　
ソーラループ３のパイプライン５を通流する熱媒体は，集合器９に流れ，集合器９から引き続き熱媒体流出部１１に流れる。熱媒体流出部１１を通して流れる熱媒体は，通常，熱交換器に導かれ，熱交換器において，この熱は，蒸気循環路に放出される。蒸気循環路において，例えば発電のためにタービンが運転される。熱交換器から流出した冷却された熱媒体は，熱媒体供給部１３を介して分配器１５に導かれ，分配器１５からソーラループ３のパイプラインに導かれる。
　停止状態で太陽熱発電プラントのパイプラインをドレンするために，ドレン容器１７が設けられている。この場合，ドレン容器１７は，分配器１５及び集合器９に結合されている。集合器９及び分配器１５を介して，溶融塩は，ドレン容器１７に流れる。（【００４１】〜【００４５】））
　・「In Figur 2 ist beispielhaft eine Solarschleife mit erfindungsgemaess ausgebildetem Rohrleitungssystem dargestellt.…Um bei Bedarf den Entleerungsbehaelter 17 entleeren zu koennen, weist dieser weiterhin ein Ablassventil 31 auf.」（１１頁９行〜下から４行）
　（
図２には，本発明に基づいて構成されたパイプラインシステムを備えるソーラループが例示されている。
　ソーラループ３は，パイプライン５を備え，パイプライン５は，略Ｕ字形に構成されていて，第１の枝部で集合器９に，第２の枝部で分配器１５に結合されている。
　本発明によれば，パイプライン５は，水平面に対して傾斜した勾配を有する。この場合，勾配は，好適には０〜１％の範囲にある。１つの態様では，勾配は，好適には０．１〜０．５％の範囲にあり，特に好適には０．２〜０．４％の範囲にある。択一的な態様では，勾配は，０〜０．３％の範囲にあり，好適には０．０１〜０．２％の範囲にある。この場合，パイプライン５の勾配は，それぞれ通気弁２３からドレン弁２５に向けて延在している。図示の態様では，
Ｕ字形のパイプライン５の各枝部は，ドレン弁２５に結合されている。ドレン弁２５は，ドレンライン２７と，パイプライン５及び結合パイプ２１との結合部を開閉する。通常運転では，ドレン弁２５は閉じられている。ドレンライン２７は，ドレン容器１７に通じている。ドレン容器１７は，パイプライン５内に含まれる全ての溶融塩を収容できるような大きさに構成されている。
　ドレン容器１７は，排気弁２９を備えて構成されている。排気弁２９は，パイプライン５がドレンされるときに開放される。これによりドレン容器１７内の圧力上昇が回避される。必要な場合にドレン容器１７をドレンするために，ドレン容器１７は，更に出口弁３１を備える。（【００４７】〜【００５０】））
　・「Im Normalbetrieb sind das Belueftungsventil 23 und die Entleerungsventile 25 geschlos- sen.…Zusaetzlich oder alternativ ist es auch moeglich, den Entleerungsbehaelter 17 zu evakuieren, um den Entleerungsprozess weiter zu beschleunigen.」（１２頁１２行〜下から６行）
　（通常運転では，通気弁２３及びドレン弁２５は閉じられている。溶融塩は，分配器１５からパイプライン５に通流し，ガラスループ７と放物面鏡とにより形成されたレシーバにおいて加熱される。この場合，そのように
加熱された溶融塩又はソーラ溶融物は，第２の結合パイプ２１及び集合器９を介して熱交換器に流れ，そこで，熱は，接続された蒸気循環路に放出される。
　設備の機能障害，又は例えば給電不能（停電）によるエネルギ損失の場合や所望のドレンの場合に，通気弁２３は開かれる。同時に，集合弁３５及び分配弁３７は閉じられるので，溶融塩はもはや集合器９もしくは分配器１５から結合パイプ２１を介してパイプライン５に至ることはない。更に，パイプライン５からドレンライン２７への結合部が開かれるように，ドレン弁２５が切り換えられる。パイプライン５の勾配により，重力により運ばれて，溶融塩は，パイプライン５から浸漬パイプ４１を通してドレン容器１７にドレンされる。
　・「Um die Solarschleife nach einer Entleerung wieder anzufahren, wird zunaechst das Ent- lueftungsventil 29 geschlossen.…Die Befuellung und Entleerung jeweils einer Solarschleife 3 in einen Entleerungsbehaelter 17 erlaubt ein schnelles Befuellen und Entleeren der Solarschleifen 3, so das mit einer hohen Funktionssicherheit eine abendliche Entleerung und eine morgendliche Befuellung des Leitungssystems durchge- fuehrt werden kann.」（１２頁下から２行〜１４頁５行）
　（
ドレン後にソーラループを再始動するために，
ドレン弁２５が，溶融塩がドレン容器１７からパイプライン５に還流できるように，切り換えられる。続いて，通気弁３９を介して圧縮ガスがドレン容器１７に供給される。
圧縮ガスは，使用される塩に応じて，例えば圧縮空気，合成空気，ＣＯ
2
が除かれた空気又は不活性ガス，例えば窒素である。
　
通気弁３９を通して圧縮ガスがドレン容器１７に供給されることにより，ドレン容器１７内に圧力が形成される。形成される圧力は，容器１７内に含まれる熱媒体を，上昇管として働く浸漬パイプ４１を通してドレンライン２７に，そこからドレン弁２５を通してパイプライン５に運び戻す。
充填過程の終了と共に，通気弁２３は閉じられる。更に，ドレン弁２５も閉じられるので，流れは，今やパイプライン５から結合パイプ２１を介して集合器９及び分配器１５に向かって行われる。この場合，運転を開始するために，集合弁３５及び分配弁３７も開かれる。
　
ドレン容器１７にある塩が多すぎる場合，通気弁３９を介する圧縮ガスの供給と，ドレン弁２５の開放（同時に開いた集合弁３５又は分配弁３７及び閉じた通気弁２３）とにより，余剰量が塩循環路に排出される。
　溶融塩がパイプライン９，１５，２１，５を通して流れる速度は，各弁３５，３７の開放度により制御することができる。
　
圧縮空気の供給によるドレン容器１７からの溶融塩の供給に対して択一的に，浸漬ポンプを使用してもよい。
　ドレン弁２５及び通気弁２３は，好適には，フェールセーフ機能を有する弁として構成されていて，機能障害時にそれぞれ開くように切り換えられるので，パイプライン５内に含まれる溶融塩は，ドレン容器１７に流出することができる。ドレン容器１７における各ソーラループ３の充填及びドレンは，ソーラループ３の素早い充填及びドレンを可能にするので，高い機能確実性をもって，ラインシステムの夕方のドレン及び朝方の充填を行うことができる。」（【００５６】〜【００６１】）
　・「1. Rohrleitungssystem zur Foerderung einer Salzschmelze, umfassend mindestens eine von der Salzschmelze durchstroemte Rohrleitung (5), mindestens einen Zulauf und mindestens einen Ablauf, dadurch gekennzeichnet, dass die von der Salzschmelze durchstroemte Rohrleitung (5) mindestens ein gegenueber der Waagerechten geneigtes Gefaelle aufweist und jeweils an den niedrigsten Positionen ueber ein Entleerungsventil (25) mit einer Entleerungsleitung (27) und an den hoechsten Positionen mit einem Belueftungsventil (23) verbunden ist. 」（１７頁２〜８行）
　（１．　溶融塩が通流する少なくとも１本の
パイプライン（５）
　少なくとも１つの供給部と，
　少なくとも１つの排出部と，
を備える，溶融塩を圧送する
パイプラインシステム
　溶融塩が通流する前記パイプライン（５）は，水平に対して傾斜した少なくとも１つの勾配を有し，それぞれ
最も低い位置でドレン弁（２５）を介してドレンライン（２７）に結合されていて，最も高い位置で通気弁（２３）に結合されている
　・「14. Verfahren zur Entleerung eines Rohrleitungssystems zur Foerderung einer Salzschmelze gemaess einem der Ansprueche 1 bis 13 bei dem zur Entleerung die Entleerungsventile (25) und das Belueftungsventil (23) geoeffnet werden, so dass die Salzschmelze durch die Entleerungsleitung (27) aus der Rohrleitung (5) aus- stroemen kann. 」（１８頁下から１１〜下から７行）
　（１４．　請求項１から１３までのいずれか１項記載の，溶融塩を圧送するパイプラインシステムをドレンする方法であって，
　ドレンのために，ドレン弁（２５）及び通気弁（２３）を開いて，溶融塩がドレンライン（２７）を通りパイプライン（５）から流出できるようにすることを特徴とする，パイプラインシステムをドレンする方法。（【請求項１４】））
　・「16. Verfahren gemaess Anspruch 14 oder 15, dadurch gekennzeichnet, dass bei einer Entleerung durch das Belueftungsventil (23) ein unter Druck stehendes Gas in die Rohrleitung (5) eingeleitet wird. 
17. Verfahren gemaess Anspruch 16, dadurch gekennzeichnet, dass das unter Druck stehende Gas Stickstoff, synthetische Luft, C02-gereinigte Luft oder Luft ist.」（１９頁１〜５行）
　（１６．　
ドレン時に，前記通気弁（２３）を通して，圧力下にあるガスを，前記パイプライン（５）に導入する
　１７．　
前記圧力下にあるガスは，窒素，合成空気，ＣＯ
2
が除かれた空気又は空気である
　　　イ　図２において，Ｕ字形のパイプライン５の両端が，それぞれ，傾斜したドレンライン２７を介して，ドレン容器１７に接続されている点が見て取れる。
　そうすると，上記の記載及び図面の記載からみて，引用文献１には，次の発明（以下，それぞれ「引用発明１」，「引用発明２」という。）が記載されているといえる。
　（引用発明１）
　「パイプライン５を有するソーラループ３の前記パイプライン５から熱媒体をドレンするパイプラインシステムであって，
　前記パイプライン５の最も高い位置に設けられ，前記熱媒体のドレン時に前記パイプライン５に空気を導入する通気弁２３と，
　前記パイプライン５に設けられ，前記熱媒体のドレン時に前記パイプライン５に圧縮空気を供給する手段と，
　前記パイプライン５に接続されるとともに水平面に対して傾斜するドレンライン２７と，
　前記ドレンライン２７の前記パイプライン５が接続された部分より低い位置に接続されて，前記パイプライン５から前記ドレンライン２７を経て流れた熱媒体を受け入れるドレン容器１７とを備え，
　前記熱媒体のドレン時に，前記通気弁２３を開放して前記パイプライン５に空気を導入するとともに，前記圧縮空気を供給する手段によって圧縮空気を前記パイプライン５に供給し，
　前記パイプライン５から前記ドレンライン２７に熱媒体が重力と前記圧縮空気の圧力によって流れ込み，さらにこの熱媒体が重力と前記圧力によって前記ドレンライン２７を流れて，前記ドレン容器１７に受け入れられるパイプラインシステム。」
　（引用発明２）
　「パイプライン５を有するソーラループ３の前記パイプライン５から熱媒体をドレンする方法であって，
　前記パイプライン５の最も高い位置において，前記熱媒体のドレン時に前記パイプライン５に空気を導入するとともに前記パイプライン５に圧縮空気を供給することによって，前記パイプライン５に接続されるとともに水平面に対して傾斜するドレンライン２７に熱媒体を流し，
　このドレンライン２７を流れた前記熱媒体を前記パイプライン５が接続された部分より低い位置に接続されたドレン容器１７に受け入れる熱媒体をドレンする方法。」
　　（２）　引用文献２
　引用文献２には，以下の事項が記載されている。
　・「【０００７】
　図１に高温溶融塩を使用する太陽エネルギ塔システム１０の概略を示す。太陽エネルギ塔システム１０は概して，低温貯蔵タンク１２，太陽集熱器１４，ヘリオスタット１６，高温貯蔵タンク１８，およびエネルギ変換システム２０を備えている。高温溶融塩は，太陽エネルギ塔システム１０を通じて熱伝達媒体として使われる。高温溶融塩および高温熱貯蔵タンク１８の利用により，太陽エネルギ塔システム１０が，１日に２４時間まで電気（および熱エネルギ）を供給し，かつ十分に高温で稼動することが可能になり，熱エネルギを合理的に効率よくガスタービンエンジンの動作に使用し，太陽エネルギ変換システム２０を簡略化し，ランキン蒸気サイクルなどの他のサイクルと比較してシステムの水への依存を減らすことができる。
【０００８】
　熱伝達媒体は，上記の低温貯蔵タンク１２に貯蔵されている。熱伝達媒体が必要とされると，太陽集熱器１４に圧送され，複数のヘリオスタット１６の領域から反射される太陽放射によって熱せられる。…
【０００９】
　熱伝達媒体は，所望の温度に熱せられると，高温貯蔵タンク１８に圧送され，エネルギ変換システム２０で必要とされるまで貯蔵される。熱せられた熱伝達媒体が，エネルギ変換システム２０に圧送されて発電する。…
【００１０】
　熱伝達媒体が熱交換システム２０を通過すると，熱エネルギを奪われた熱伝達媒体は温度が急激に下がり，低温貯蔵タンク１２に送り返される。熱伝達媒体は閉サイクルの太陽エネルギ塔システム１０で再利用され，必要とされるまで低温貯蔵タンク１２に貯蔵される。」
　２　本願発明２について
　　（１）　対比
　　　ア　本願発明２と引用発明１とを，その有する機能に照らして対比してみるに，引用発明１における「パイプライン５」，「ソーラループ３」，「熱媒体」は，それぞれ，本願発明２における「熱媒流路」，「太陽熱収集装置」，「熱媒」に相当し，引用発明１における「前記パイプライン５から熱媒体をドレンする」ことは，本願発明２における「前記熱媒流路から熱媒を排出する」ことに相当するから，引用発明１における「パイプラインシステム」は，本願発明２における「熱媒排出装置」に相当する。
　　　イ　引用発明１における「前記パイプライン５の最も高い位置に設けられ（る）」こと，「前記熱媒体のドレン時に前記パイプライン５に空気を導入する」ことは，それぞれ，本願発明２における「前記熱媒流路の最高位置に設けられ（る）」こと，「前記熱媒の排出時に前記熱媒流路に空気を導入する」ことに相当するから，引用発明１における「通気弁２３」は，本願発明２における「ベント部」に相当する。
　　　ウ　引用発明１における「前記パイプライン５に設けられ（る）」こと，「前記熱媒体のドレン時に前記パイプライン５に圧縮空気を供給する」ことは，それぞれ，本願発明２における「前記熱媒流路に設けられ（る）」こと，「前記熱媒の排出時に前記熱媒流路に圧縮空気を供給する」ことに相当するから，引用発明１における「圧縮空気を供給する手段」は，本願発明２における「圧縮空気供給手段」に相当する。
　　　エ　引用発明１における「前記パイプライン５に接続されるとともに水平面に対して傾斜する」ことは，本願発明２における「前記熱媒流路に接続されるとともに水平面に対して傾斜する」ことに相当するから，引用発明１における「ドレンライン２７」は，本願発明２における「傾斜配管」に相当する。
　　　オ　引用発明１における「前記ドレンライン２７の前記パイプライン５が接続された部分より低い位置に接続され（る）」こと，「前記パイプライン５から前記ドレンライン２７を経て流れた熱媒体を受け入れる」ことは，それぞれ，本願発明２における「前記傾斜配管の前記熱媒流路が接続された部分より低い位置に接続され（る）」こと，「前記熱媒流路から前記傾斜配管を経て流れた熱媒を受け入れる」ことに相当するから，引用発明１における「ドレン容器１７」は，本願発明２における「ドレイン容器」に相当する。
　　　カ　引用発明１における「前記熱媒体のドレン時に，前記通気弁２３を開放して前記パイプライン５に空気を導入するとともに，前記圧縮空気を供給する手段によって圧縮空気を前記パイプライン５に供給し」，「前記パイプライン５から前記ドレンライン２７に熱媒体が重力と前記圧縮空気の圧力によって流れ込み，さらにこの熱媒体が重力と前記圧力によって前記ドレンライン２７を流れて，前記ドレン容器１７に受け入れられる」ことは，本願発明２における「前記熱媒の排出時に，前記ベント部を開放して前記熱媒流路に空気を導入するとともに，前記圧縮空気供給手段によって圧縮空気を前記熱媒流路に供給し」，「前記熱媒流路から前記配管に熱媒が重力と前記圧縮空気の圧力によって流れ込み，さらにこの熱媒が重力と前記圧力によって前記傾斜配管を流れて，前記ドレイン容器に受け入れられ（る）」ことに相当する。
　　　キ　そうすると，本願発明２と引用発明１とは，次の点で一致し，相違する。
　（一致点１）
　「熱媒流路を有する太陽熱収集装置の前記熱媒流路から熱媒を排出する熱媒排出装置であって，
　前記熱媒流路の最高位置に設けられ，前記熱媒の排出時に前記熱媒流路に空気を導入するベント部と，
　前記熱媒流路に設けられ，前記熱媒の排出時に前記熱媒流路に圧縮空気を供給する圧縮空気供給手段と，
　前記熱媒流路に接続されるとともに水平面に対して傾斜する傾斜配管と，
　前記傾斜配管の前記熱媒流路が接続された部分より低い位置に接続されて，前記熱媒流路から前記傾斜配管を経て流れた熱媒を受け入れるドレイン容器とを備え，
　前記熱媒の排出時に，前記ベント部を開放して前記熱媒流路に空気を導入するとともに，前記圧縮空気供給手段によって圧縮空気を前記熱媒流路に供給し，
　前記熱媒流路から前記配管に熱媒が重力と前記圧縮空気の圧力によって流れ込み，さらにこの熱媒が重力と前記圧力によって前記傾斜配管を流れて，前記ドレイン容器に受け入れられる熱媒排出装置。」
　（相違点１）
　本願発明２は，「前記ドレイン容器から前記熱媒を，前記熱媒を貯留するタンクに送り出すポンプ」を備え，「前記タンクは，前記太陽熱収集装置によって加熱される前の熱媒を貯留するコールド側タンクと，前記太陽熱収集装置によって加熱された後の熱媒を貯留するホット側タンクとを有し」，「前記熱媒の排出時に」，「ドレイン容器に受け入れられた熱媒が前記ポンプによって前記コールド側タンクに送り出される」のに対し，引用発明１は，「ドレン容器１７」を備え，「熱媒体のドレン時に」，「熱媒体」が「前記ドレン容器１７に受け入れられる」ものの，熱媒体を貯留するタンク（コールド側タンク及びホット側タンク）を有しない上，「ドレン容器１７」から熱媒体を当該タンクに送り出すポンプを備えておらず，熱媒体のドレン時に，「ドレン容器１７」に受け入れられた熱媒体をポンプによってコールド側タンクに送り出すように構成されていない点。
　　（２）　判断
　　　ア　引用文献１には，ドレン容器１７に加え，さらにタンクを備えることに関し記載も示唆もない。「ドレン容器１７は，パイプライン５内に含まれる全ての溶融塩を収容できるような大きさに構成されている。」（前記１（１）ア）ことからしても，さらにタンクを備えることの動機付けは特段認められない。
　また，引用文献２には，太陽熱収集装置において，熱媒を貯留するタンク（コールド側タンク及びホット側タンク）が記載されているが，タンクとドレイン容器との関係は示されていない（前記１（２）ア）。たとえ，太陽熱収集装置において，タンク（コールド側タンク及びホット側タンク）を設けることが周知であっても，引用発明１において，ドレン容器１７に加え，さらにタンク（コールド側タンク及びホット側タンク）を備え，熱媒体のドレン時に，ドレン容器１７に受け入れられた熱媒体をポンプによってコールド側タンクに送り出すように構成することについて，動機付けは認められない。
　なお，引用文献１には，パイプライン５を「集合器９」，「分配器１５」に結合する点が記載されているが（前記１（１）ア），この「集合器９」，「分配器１５」は，ソーラフィールド１における複数のソーラループ３を，熱媒体流出部１１，熱媒体供給部１３に対し接続するための管路であって，これらがタンク（コールド側タンク及びホット側タンク）の機能を有する旨の記載はない。
　また，引用文献１には，熱媒体のドレン後にソーラループ３を再始動する過程で，浸漬ポンプを使用して，ドレン容器１７からドレンライン２７を介して，パイプライン５，集合器９，分配器１５に熱媒体を充填し得る旨記載されているが（前記１（１）），熱媒体のドレン時に関する動作ではなく，集合器９，分配器１５をタンク（コールド側タンク及びホット側タンク）とみなすことはできないから，当該記載から，前記相違点１に係る構成が示唆されるとは認められない。
　　　イ　他方，本願発明２は，「熱媒を排出する場合，タンクを太陽熱収集装置より低いところに設置すれば，熱媒を重力によってタンクに送り込むことができる。しかし，タンクは高さが１５ｍ以上もあり非常に高いので，タンクを太陽熱収集装置より低いところに設置するには，タンクを設置すべき地盤に大きな孔を施工し，この孔にタンクを挿入して設置する必要があり，この孔の施工やタンクの設置に非常に手間がかかるという問題がある。」（本願明細書【０００６】）といった事情に鑑み，「熱媒を貯留するタンクを太陽熱収集装置より低い位置に設置することなく，太陽熱収集装置から熱媒を短時間で排出できる熱媒排出装置および熱媒排出方法を提供することを目的」（同【０００７】）としてなされたものである。
　そして，本願発明２は，相違点１に係る構成を有することにより，「タンクを太陽熱収集装置より低い位置に設置することなく，太陽熱収集装置から熱媒を重力と圧縮空気の圧力によって，より短時間で排出できる。」（同【００１１】），「タンクを太陽熱収集装置より低い位置に設置することなく，太陽熱収集装置から熱媒を短時間で排出できる。」（同【００１６】）といった顕著な効果を奏するものである。
　　　ウ　したがって，引用発明１及び引用文献２に記載された事項に基いて，相違点１に係る本願発明２の構成とすることは，当業者が容易に想到することができたものとは認められない。
　以上のとおりであるから，本願発明２は，引用発明１及び引用文献２に記載された事項に基いて，当業者が容易に発明をすることができたものであるとは認められない。
　３　本願発明４について
　　（１）　対比
　本願発明２と引用発明１との関係を参考に（前記２（１）），本願発明４と引用発明２とを，その有する機能に照らして対比すると，本願発明４と引用発明２とは，次の点で一致し，相違する。
　（一致点２）
　「熱媒流路を有する太陽熱収集装置の前記熱媒流路から熱媒を排出する熱媒排出方法であって，
　前記熱媒流路の最高位置において，前記熱媒の排出時に前記熱媒流路に空気を導入するとともに前記熱媒流路に圧縮空気を供給することによって，前記熱媒流路に接続されるとともに水平面に対して傾斜する傾斜配管に熱媒を流し，
　この傾斜配管を流れた前記熱媒を前記熱媒流路が接続された部分より低い位置に接続されたドレイン容器に受け入れる熱媒排出方法。」
　（相違点２）
　本願発明４は，「前記熱媒を貯留するタンクは，前記太陽熱収集装置によって加熱される前の熱媒を貯留するコールド側タンクと，前記太陽熱収集装置によって加熱された後の熱媒を貯留するホット側タンクとを有するものであって」，「前記ドレイン容器からポンプによって前記熱媒を前記コールド側タンクに送り出す」のに対し，引用発明２は，「熱媒体のドレン時に」，「熱媒体」を「ドレン容器１７に受け入れる」ものの，タンク（コールド側タンク及びホット側タンク）を備えておらず，熱媒体のドレン時に，ドレン容器１７からポンプによって熱媒体をコールド側タンクに送り出すように構成されていない点。
　　（２）　判断
　相違点２は，前記相違点１と実質的に同じであるから，同様の理由により，本願発明４は，引用発明２及び引用文献２に記載された事項に基いて，当業者が容易に発明をすることができたものであるとは認められない。
　４　以上のとおりであるから，原査定を維持することはできない。
第６　当審にて通知した拒絶の理由についての判断
　平成３１年１月２４日の手続補正書により補正された特許請求の範囲は前記のとおりであるところ（前記第２），当該補正により，特許請求の範囲の記載に関する不備は解消した。
第７　むすび
　以上のとおり，原査定の理由及び当審にて通知した拒絶の理由によって，本願を拒絶することはできない。
　他に本願を拒絶すべき理由を発見しない。
　よって，結論のとおり審決する。